(57)【特許請求の範囲】
【請求項１】
防水コネクタのハウジングに形成されたキャビティと、前記キャビティに挿入されるとともに端子に接続される電線との間の防水性を得るために、略円筒形状に形成された本体を有し、前記電線が前記本体に挿入されて突出可能であるとともに、前記本体の外周面が前記キャビティの内周面に圧接可能であるとともに内周面が前記電線に圧接可能とされ、かつ、前記端子のインシュレーションバレルが前記本体を介して前記電線を加締め可能な防水コネクタの防水栓であって、
前記本体における加締部の内径寸法および外径寸法が軸線方向に沿った端部側に向かって段階的に小径化されており、端部側の第１加締部の内径寸法および外径寸法が隣設された第２加締部の内径寸法および外径寸法よりも小さく、前記加締部の外周面に周方向に沿ってリブが設けられており、該リブが前記インシュレーションバレルに覆われる位置に形成されていることを特徴とする防水コネクタの防水栓。
【請求項２】
前記加締部の肉厚寸法が軸線方向に沿ってほぼ同一となるように形成されていることを特徴とする請求項１に記載した防水コネクタの防水栓。
【発明の詳細な説明】
【０００１】
【発明の属する技術分野】
本発明は防水コネクタの防水栓に係り、特に防水コネクタのハウジングに形成されたキャビティと、キャビティに挿入されるとともに端子に接続される電線との間の防水性を得るための防水コネクタの防水栓に関する。
【０００２】
【従来の技術】
実公昭64-35675号公報に防水コネクタの防水栓が開示されている。この防水栓60は、図５に示すように略円筒状の大径部61および小径部65が形成され、大径部61は外周面に外周リブ62および内周面に内周リブ63が形成されている。
【０００３】
防水コネクタにこの防水栓60を組付ける際には、先ず防水栓60に大径部61側から小径部65に向けて電線67（図６に示す）を挿入する。この際に、電線67の外周面に大径部61の内周リブ63が圧接される。
次に、端子68のインシュレーションバレル69で加締部である小径部65を加締めて防水栓60および電線67を端子68に接続する。
この状態で、端子68をハウジング70のキャビティ72に矢印の方向に挿入し、続いてキャビティ72に防水栓60を圧入する。よって、大径部61の外周リブ62がキャビティ72の内側面に圧接して気密性、すなわち防水性を得ることができる。
【０００４】
【発明が解決しようとする課題】
しかし、小型化された防水栓60における加締部である小径部65は肉厚が薄くなるので、図６に示すように端子68のインシュレーションバレル69で小径部65を加締めた際に、小径部65の先端部66が浮き上がる。このため、浮き上がった先端部66がキャビティ72の内周面に当たり、先端部66にめくれが発生して、キャビティへの端子挿入性が損なわれてしまう。
【０００５】
一方、実公昭64-35675号公報に開示されている防水栓のなかには、図７に示すものがある。この防水栓80は小径部65の内周面の先端部に環状突起81を設けることにより、加締部である小径部65の先端部82の肉厚t1が厚く設定されている。
これにより、端子68のインシュレーションバレル69で防水栓70の小径部65を加締めた際に、小径部65の先端部82が浮き上がることが防止される。
【０００６】
しかし、防水栓80は小径部65の先端部82の肉厚t1が厚く設定されているので、端子68のインシュレーションバレル69で小径部65を加締めた際に、肉厚t1の部位である先端部82が膨出してしまう。このため、膨出した先端部82がキャビティ72（図６参照）の内周面に当たり、先端部65にめくれが発生して、キャビティへの端子挿入性が損なわれてしまう。
【０００７】
本発明は、前述した問題点に鑑みてなされたものであり、その目的は、端子のインシュレーションバレルで防水栓の加締部を加締めた際に、加締部の先端部が膨出することを防ぐことができる防水コネクタの防水栓を提供することにある。
【０００８】
【課題を解決するための手段】
前述した目的を達成するために、本発明は、請求項１に記載したように、防水コネクタのハウジングに形成されたキャビティと、前記キャビティに挿入されるとともに端子に接続される電線との間の防水性を得るために、略円筒形状に形成された本体を有し、前記電線が前記本体に挿入されて突出可能であるとともに、前記本体の外周面が前記キャビティの内周面に圧接可能であるとともに内周面が前記電線に圧接可能とされ、かつ、前記端子のインシュレーションバレルが前記本体を介して前記電線を加締め可能な防水コネクタの防水栓であって、前記本体における加締部の内径寸法および外径寸法が軸線方向に沿った端部側に向かって段階的に小径化されており、端部側の第１加締部の内径寸法および外径寸法が隣設された第２加締部の内径寸法および外径寸法よりも小さく、前記加締部の外周面に周方向に沿ってリブが設けられており、該リブが前記インシュレーションバレルに覆われる位置に形成されていることを特徴とする。
【０００９】
このように構成された防水コネクタの防水栓においては、本体における加締部の内径寸法および外径寸法が軸線方向に沿った端部側に向かって段階的に小径化されており、端部側の第１加締部の内径寸法および外径寸法が隣設された第２加締部の内径寸法および外径寸法よりも小さいため、電線全周に対する防水栓の締付力である電線の締付け率を向上できるとともに、端子のインシュレーションバレルで加締めても他端の浮き上がりを防止でき、かつ、膨出を防止できる。すなわち、加締部の内径および外径が先端に向かって段階的に小径化することで、加締部に対するインシュレーションバレルの防水栓長手方向に沿った両側端部分での加締部の締付力が均等となり、防水栓長手方向に沿って均一な保持力で防水栓を保持することができる。また、加締部の外周面に周方向に沿ってリブが設けられており、このリブがインシュレーションバレルに覆われる位置に形成されているので、インシュレーションバレルがリブに密着して保持性が向上する。
【００１０】
また、本発明においては、請求項２に記載したように、前記加締部の肉厚寸法が軸線方向に沿ってほぼ同一となるように形成されているため、電線に対する締付け率の向上と、他端の浮き上がり防止効果および膨出防止効果を顕著に得られる。  
【００１２】
【発明の実施の形態】
以下、本発明に係る実施形態を図面に基づいて詳細に説明する。なお、以下に説明する各実施形態において、既に図１において説明した部材等については、図中に同一符号あるいは相当符号を付すことにより説明を簡略化あるいは省略する。
【００１３】
図１に示すように、本発明に係る第１実施形態である防水コネクタの防水栓10は、防水コネクタ20のハウジング21に形成された円筒状のキャビティ22と、キャビティ22に挿入されるとともに端子25に接続される電線28との間の防水性を得るための部材である。
【００１４】
さらに、この防水コネクタの防水栓10は、図２に示すように略円筒形状に形成された本体11を有し、電線28が本体11に挿入されて突出可能であるとともに、本体11の外周面12がキャビティ22の内周面23（図１参照）に圧接可能であるとともに、図３に示すように内周面13が電線28に圧接可能とされ、かつ、端子25のインシュレーションバレル26（図１参照）が本体11の加締部18を介して電線28を加締め可能に構成されている。
【００１５】
加えて、この防水コネクタの防水栓10は、図３に示すように、加締部18の肉厚寸法ｔが軸線17方向に沿って同一となるように、一端14から端部15に向かって挿通孔16が段階的に先細りに形成されている。
また、加締部18は、外周面の周方向に沿って設けられたリブ19を有し、リブ19がインシュレーションバレル26（図１参照）に覆われる位置に形成されている。
加締部18は、端部の第１加締部18Ａおよび第１加締部18Ａと隣設された第２加締部18Ｂを有し、第１加締部18Ａの内径寸法D1および外径寸法が第２加締部18Ｂの内径寸法D2および外径寸法よりも小さく形成されている。
【００１６】
次に、防水コネクタ20に防水栓10を組付ける手順を説明する。
先ず、図２に示すように防水栓10の挿通孔16に電線28を挿入する。防水栓10の加締部18の肉厚寸法ｔが軸線17の方向に沿って同一となるように、端部15に向かって挿通孔16が先細りに形成されているので、電線28の締付け率を高めることができる。よって、電線28と防水栓10との間の隙間が密閉される。
【００１７】
次に、図４に示すように電線28の導電部28Ａを端子25に接続するとともに、端子25のインシュレーションバレル26で加締部18を加締めて防水栓10および電線28を端子25に接続する。
この際、挿通孔の端部15側を先細りとすることで、端部15側の外形寸法が先細りとなり、かつ、端部15側の肉厚寸法ｔ（図３参照）も比較的大きくすることで、加締部18をインシュレーションバレル26で加締めても端部15の浮き上がりが防止される。
特に、加締部18は、第１加締部18Ａの内径寸法が第２加締部18Ｂの内径寸法よりも小さく形成されているため、電線に対する締め率が一層向上するとともに、端子加締め時における浮き上がりを確実に防止できる。
【００１８】
特に、加締部18は、第１加締部18Ａの外径寸法が第２加締部18Ｂの外径寸法よりも小さく形成されているため、膨出防止の効果が顕著となる。
さらに、加締部18の所定箇所に形成されたリブ19をインシュレーションバレル26で覆うことができるので、インシュレーションバレル26がリブ19に密着して保持力が向上する。
【００１９】
次いで、端子25をキャビティ22に挿入し、続いてキャビティ22に防水栓10を圧入する。この際、防水栓10の端部15には浮き上がりや膨出が発生していないので、端部15がキャビティ22に当たって、端部15にめくれが発生することが防止される。
【００２０】
なお、前記実施形態では、リブ19を二個形成した例について説明したが、リブ19の個数は２本に限らないで三個以上形成することも可能である。
さらに、本発明は、前述した各実施形態に限定されるものでなく、適宜な変形，改良等が可能であり、前述した各実施形態において例示した防水栓，加締部，リブ等の材質，形状，寸法，形態，数，配置個所，厚さ寸法等は本発明を達成できるものであれば任意であり、限定されない。
【００２１】
【発明の効果】
以上、説明したように、本発明によれば、請求項１に記載したように、本体における加締部の内径寸法および外径寸法が軸線方向に沿った端部側に向かって段階的に小径化されており、端部側の第１加締部の内径寸法および外径寸法が隣設された第２加締部の内径寸法および外径寸法よりも小さいため、電線の締付け率を向上できるとともに、端子のインシュレーションバレルで加締めても他端の浮き上がりを防止でき、かつ、膨出を防止できる。また、加締部の外周面に周方向に沿ってリブが設けられており、このリブがインシュレーションバレルに覆われる位置に形成されているので、インシュレーションバレルがリブに密着して保持力が向上する。
このように、防水栓の挿入端部の浮き上がりや膨出を防止できるので、端子をハウジングのキャビティに挿入する際に、防水栓の端部がキャビティに当たって、端部にめくれが発生することを防止できる。従って、キャビティへの端子挿入性が向上する。
【００２２】
さらに、本発明によれば、請求項２に記載したように、加締部の肉厚寸法が軸線方向に沿ってほぼ同一となるように形成されているため、電線に対する締付け率の向上と、他端の浮き上がり防止効果および膨出防止効果を顕著に得られる。
【図面の簡単な説明】
【図１】本発明に係る防水コネクタの防水栓をキャビティに挿入した状態を示す側面図である。
【図２】本発明に係る防水コネクタの防水栓に電線を挿入した状態を示す側面図である。
【図３】本発明に係る防水コネクタの防水栓を示す断面図である。
【図４】本発明に係る防水コネクタの防水栓をキャビティに挿入する例を示す作用説明図である。
【図５】従来の防水コネクタの防水栓を示す断面図である。
【図６】従来の防水コネクタの防水栓をキャビティに挿入した例を示す側面図である。
【図７】従来の防水コネクタの防水栓のもう一つの例を示す断面図である。
【符号の説明】
10  防水栓
11  本体
12  外周面
13  内周面
14  一端
15  他端
16  挿通孔
17  軸線
18  加締部
19  リブ
20  防水コネクタ
21  ハウジング
22  キャビティ
23  キャビティの内周面
25  端子
26  インシュレーションバレル
28  電線
【図１】
0003724723.tif 000002
【図２】
0003724723.tif 000003
【図３】
0003724723.tif 000004
【図４】
0003724723.tif 000005
【図５】
0003724723.tif 000006
【図６】
0003724723.tif 000007
【図７】
0003724723.tif 000008